(57)【要約】【課題】収納ラック内の収納スペースを損なうことなく、既存の収納ラックに対しても、収納される枚葉物の屈撓を簡単な構成によって防止することができる枚葉物収納ラック用の枚葉物支持部材を提供すること。【解決手段】収納ラックに収納された枚葉物の背面と該収納ラックの背面部との間に挿入することにより、前記枚葉物がラック内で屈撓しないように該枚葉物を背面側から押圧し、該枚葉物の幅方向を背面側に湾曲させるように支持する枚葉物支持部材１であって、一方の面が前記枚葉物の背面側への当接面１Ａとされる可撓性を有する樹脂シート１０と、該樹脂シート１０の幅方向に沿って設けられ、該樹脂シート１０の幅方向が前記当接面１Ａ側に凸状に撓むように付勢する弾性部材１１とからなることを特徴とする枚葉物収納ラック用の枚葉物支持部材。【選択図】      図１
2008137298.tif 000002
【特許請求の範囲】
【請求項１】
収納ラックに収納された枚葉物の背面と該収納ラックの背面部との間に挿入することにより、前記枚葉物がラック内で屈撓しないように該枚葉物を背面側から押圧し、該枚葉物の幅方向を背面側に湾曲させるように支持する枚葉物支持部材であって、
一方の面が前記枚葉物の背面側への当接面とされる可撓性を有する樹脂シートと、該樹脂シートの幅方向に沿って設けられ、該樹脂シートの幅方向が前記当接面側に凸状に撓むように付勢する弾性部材とからなることを特徴とする枚葉物収納ラック用の枚葉物支持部材。
【請求項２】
前記弾性部材は、前記樹脂シートの高さ方向に沿って位置変更可能に設けられていることを特徴とする請求項１記載の枚葉物収納ラック用の枚葉物支持部材。
【請求項３】
収納ラックに収納された枚葉物の背面と該収納ラックの背面部との間に挿入することにより、前記枚葉物がラック内で屈撓しないように該枚葉物を背面側から押圧し、該枚葉物の幅方向を背面側に湾曲させるように支持する枚葉物支持部材であって、
一方の面が前記枚葉物の背面側への当接面とされる樹脂シートからなり、該樹脂シートの幅方向が前記当接面側に凸状に撓むように賦形されてなることを特徴とする枚葉物収納ラック用の枚葉物支持部材。
【発明の詳細な説明】
【技術分野】
【０００１】
本発明は枚葉物収納ラック用の枚葉物支持部材に関し、詳しくは、パンフレット、カタログ、ちらし等の薄紙状の枚葉物を多数収納する収納ラック内の枚葉物背面と該収納ラックの背面部との間に挿入することにより、枚葉物がラック内で屈撓しないように該枚葉物を背面側から押圧し、該枚葉物の幅方向を背面側に湾曲させるように支持する枚葉物収納ラック用の枚葉物支持部材に関する。
【背景技術】
【０００２】
従来から、パンフレット、カタログ、ちらし等の枚葉物は、利用者が気軽に持ち帰ることができるように、収納ラックに多数部収納されて陳列、展示されている。
【０００３】
一般にこれらの枚葉物は、薄い紙片、紙片の折り畳み物、少頁の小冊子からなり、多数部収納された状態ではある程度の自立性を有しているものの、単独では自立困難であるため、ラック内に収納される枚葉物が少なくなってくると、次第にラック内で屈撓してしまい、見栄えが悪くなるばかりでなく、折り癖がついてしまうことにより利用者に敬遠されがちになり、利用されなくなってしまう問題がある。
【０００４】
また、枚葉物の上部が前方に倒れるように屈撓してしまうと、その表面に印刷されている情報が利用者に伝わらず、展示、宣伝効果が失われてしまう問題もある。
【０００５】
このような問題を解決するため、特許文献１では、このような枚葉物を収納するホルダの前後に間隔をおいて対向する前面板部と背面板部のうちの少なくとも一方を円弧状に湾曲形成することにより、これに収納される枚葉物を湾曲形成した前面板部又は背面板部に沿って湾曲させ、曲げに対する強度を高めるようにした技術を開示している。
【０００６】
また、特許文献２では、収納ラックの下方斜め前方に突出するように設けられた弾性部材を収納ラックの背面板に取り付け、ラック内に収納される枚葉物の下方の背面を押圧することにより、常に枚葉物の下方が前方に押圧されるようにし、ラック内での屈撓を防止するようにした技術を開示している。
【特許文献１】特開平８−２４４３９０号公報
【特許文献２】特開２００５−３０６４０７号公報
【発明の開示】
【発明が解決しようとする課題】
【０００７】
特許文献１に開示の技術では、ホルダーの前面板部と背面板部のうちの少なくとも一方を円弧状に湾曲させただけであるため、例えば図８の平面図に示すように、ホルダー１００内に多数部の枚葉物Ｐが収納された状態（図８（ａ））では、多数部の枚葉物Ｐ全体が、湾曲した前面板部１０１及び背面板部１０２に当接した状態となって枚葉物Ｐ自身も湾曲するため、屈撓を防止することができるが、収納される枚葉物Ｐが少なくなるにつれて、枚葉物Ｐは前面板部１０１と背面板部１０２との間から離れ易くなるため（図８（ｂ））、枚葉物Ｐに対して湾曲させる作用が働かなくなり、ホルダー１００内で屈撓してしまう問題がある。
【０００８】
また、特許文献２に開示の技術では、弾性部材の存在によって、ラック内に収納される枚葉物に対して前方に常に押圧力を作用させることができるものの、図９の縦断面図に示すように、弾性部材２００は逆Ｕ字状等に屈曲形成されることによって、枚葉物Ｐの下方を前方に押圧するように弾性を示すものであるため、どうしても弾性部材２００自身の厚みＬが必要となり、これがラックの背面板３００に取り付けられることによって、該背面板３００から厚みＬの分だけ前方に大きく突出することになる。このため、ラック内の枚葉物Ｐの収納スペースが弾性部材２００によって大きくとられる結果、１つのラック内に多数部の枚葉物Ｐを収納できない問題がある。
【０００９】
しかも、弾性部材２００は、ラック内の枚葉物Ｐの下方を前方に向けて押圧しているだけであり、枚葉物Ｐの上方は単に弾性部材２００側に倒して沿わせているにすぎない。すなわち、枚葉物Ｐは、高さ方向に湾曲しているだけで、幅方向には何ら湾曲作用を与えていないため、利用者によって枚葉物Ｐの一部が取り出された際や風の影響を受けた際等に、枚葉物Ｐの上方が前方に屈撓してしまうことを防止できない問題もある。
【００１０】
また、特許文献１、２に共通の問題として、いずれも収納ラックの構造そのものを改良する技術であるため、収納される枚葉物に対して押圧等の手段を持たない既存の収納ラックに対して有効な手段を講じるものではない。
【００１１】
そこで、本発明は、収納ラック内の収納スペースを損なうことなく、既存の収納ラックに対しても、収納される枚葉物の屈撓を簡単な構成によって防止することができる枚葉物収納ラック用の枚葉物支持部材を提供することにある。
【００１２】
本発明の他の課題は、以下の記載により明らかとなる。
【課題を解決するための手段】
【００１３】
上記課題は、以下の各発明によって解決される。
【００１４】
（請求項１）
収納ラックに収納された枚葉物の背面と該収納ラックの背面部との間に挿入することにより、前記枚葉物がラック内で屈撓しないように該枚葉物を背面側から押圧し、該枚葉物の幅方向を背面側に湾曲させるように支持する枚葉物支持部材であって、
一方の面が前記枚葉物の背面側への当接面とされる可撓性を有する樹脂シートと、該樹脂シートの幅方向に沿って設けられ、該樹脂シートの幅方向が前記当接面側に凸状に撓むように付勢する弾性部材とからなることを特徴とする枚葉物収納ラック用の枚葉物支持部材。
【００１５】
（請求項２）
前記弾性部材は、前記樹脂シートの高さ方向に沿って位置変更可能に設けられていることを特徴とする請求項１記載の枚葉物収納ラック用の枚葉物支持部材。
【００１６】
（請求項３）
収納ラックに収納された枚葉物の背面と該収納ラックの背面部との間に挿入することにより、前記枚葉物がラック内で屈撓しないように該枚葉物を背面側から押圧し、該枚葉物の幅方向を背面側に湾曲させるように支持する枚葉物支持部材であって、
一方の面が前記枚葉物の背面側への当接面とされる樹脂シートからなり、該樹脂シートの幅方向が前記当接面側に凸状に撓むように賦形されてなることを特徴とする枚葉物収納ラック用の枚葉物支持部材。
【発明の効果】
【００１７】
本発明によれば、収納ラック内の収納スペースを損なうことなく、既存の収納ラックに対しても、収納される枚葉物の屈撓を簡単な構成によって防止することができる枚葉物収納ラック用の枚葉物支持部材を提供することができる。
【発明を実施するための最良の形態】
【００１８】
以下、本発明の実施の形態について図面を用いて説明する。
【００１９】
図１は、本発明に係る枚葉物収納ラック用の枚葉物支持部材の第１の態様を示す斜視図、図２（ａ）は樹脂シートの正面図、（ｂ）は弾性部材の斜視図である。
【００２０】
この枚葉物支持部材１は、１枚の樹脂シート１０と弾性部材１１とによって構成される。樹脂シート１０は、塩化ビニル、ポリプロピレン、ポリエチレンテレフタレート等の可撓性を有する樹脂をシート状に形成してなる。
【００２１】
この樹脂シート１０は、収納ラック内に収納されるパンフレット、カタログ、ちらし等の枚葉物をその背面側から押圧する際に、該枚葉物の背面に接して支持するものであり、一方の面が枚葉物の背面側に当接する当接面１Ａとされる。
【００２２】
樹脂シート１０の幅（図示左右方向）は、支持すべき枚葉物の幅とほぼ同幅で、その幅方向と直交する高さ方向（図示上下方向）は、支持すべき枚葉物の長さとほぼ同じ長さに形成される。
【００２３】
弾性部材１１は、樹脂シート１０の幅方向に沿って設けられており、該樹脂シート１０の幅方向が当接面１Ａ側に凸状に撓むように付勢している。これにより枚葉物支持部材１は、平常時、図１に示すように幅方向が湾曲して自身の弾性力を作り出している。
【００２４】
この弾性部材１１のばね定数は、樹脂シート１０を容易に撓ませることができ、且つ、収納ラック内に収納される枚葉物の背面をその弾性力によって効果的に押圧することができるようにする点で、０．０４〜０．０９Ｎとすることが好ましく、より好ましくは０．０６〜０．０７Ｎとすることである。
【００２５】
具体的な弾性部材１１の構造は、樹脂シート１０の幅方向を当接面１Ａ側に凸状に撓ませることができるものであれば特に制限はなく、例えばワイヤースプリング、板ばね、コイルスプリング等を挙げることができるが、特に、樹脂シート１０に対して所定の弾性力を付与でき、構造簡単で、しかも、樹脂シート１０に取り付けた場合に該樹脂シート１０の表面からの突出量を小さく抑えることができる点で、Ｕ字形状もしくは円弧形状をしたワイヤースプリングを用いることが好ましい。ここでは弾性部材１１としてワイヤースプリングを用いた態様を図示している。ワイヤースプリングはピアノ線を用いて形成することが好ましい。
【００２６】
この弾性部材１１は、樹脂シート１０の高さ方向中央部もしくは中央部よりもやや上側に位置して設けられていることが好ましい。通常、収納ラックに収納された枚葉物は、中央部よりも上方が収納ラックから突出することにより、該中央部よりも上方が前倒し状に屈撓し易くなるが、樹脂シート１０は、この弾性部材１１の取り付け位置である高さ方向中央部もしくは中央部よりもやや上側において最も大きく撓むので、最も屈撓し易い枚葉物の中央部よりも上方を効果的に押圧することができ、枚葉物を同様に湾曲させることによってコシを与え、屈撓を防止する効果が大きいためである。
【００２７】
樹脂シート１０には、その高さ方向中央部もしくはやや上側において、幅方向に沿って複数の取り付け孔１０ｂが一直線状に配列されており、この取り付け孔１０ｂに弾性部材１１が挿入されることによって取り付けられている。
【００２８】
ここでは４つの取り付け孔１０ｂが幅方向に沿って所定間隔をおいて設けられており、弾性部材１１は、この４つの取り付け孔１０ｂに対して、樹脂シート１０の当接面１Ａ側及びその反対面１Ｂ側から交互に挿入されることによって取り付けられている。弾性部材１１の両端１１ａ、１１ａは、ほぼ直角に屈曲されており、この両端１１ａ、１１ａが樹脂シート１０の当接面１Ａ又は反対面１Ｂに沿うことによって弾性部材１１の抜け止めを図っている。
【００２９】
次に、かかる枚葉物支持部材１の作用について説明する。
【００３０】
図３は、枚葉物Ｐを収納する既存の収納ラック２に本発明に係る枚葉物支持部材１を用いた状態を示しており、（ａ）は縦断面図、（ｂ）は横断面図である。なお、（ａ）（ｂ）において、左側は枚葉物Ｐが多数部収納されている状態を示し、右側は枚葉物Ｐが残り少なくなっている状態を示している。
【００３１】
多数部の枚葉物Ｐが収納された既存の収納ラック２の背面板２２と枚葉物Ｐとの間に、本発明に係る枚葉物支持部材１を挿入すると、枚葉物支持部材１は、枚葉物Ｐと収納ラック２の背面板２２との間の狭小スペースに、弾性部材１１の弾性力に抗して幅方向両端１０ａ、１０ａが左右に広がった状態で配置される。これにより、多数部の枚葉物Ｐの背面側から該枚葉物Ｐに対して、該枚葉物Ｐの幅方向を湾曲させるように押圧力を付与する。従って、枚葉物Ｐ全体は収納ラック２の前面板２１に押し付けられ、収納ラック２内で屈撓することが防止される。
【００３２】
このとき、枚葉物支持部材１は、弾性部材１１が左右に広がるように変形することにより、全体として厚みが極めて薄くなるため、収納ラック２内の枚葉物Ｐの収納スペースは実質的に減少しなくて済む。
【００３３】
この状態から、次第に枚葉物Ｐが利用者に持ち出されることにより枚葉物Ｐの部数が少なくなるにつれて、弾性部材１１による弾性力によって、該枚葉物支持部材１は次第に当接面１Ａ側が凸状となるように湾曲し出し、収納ラック２の背面板２２から前方に突出することにより、その表面で枚葉物Ｐの背面を更に前方に向けて押圧し続け、屈撓を防止し続ける。
【００３４】
このとき、枚葉物支持部材１の湾曲は幅方向に沿ったものであるため、これにより押圧される枚葉物Ｐがコシのない１枚の薄紙状であっても、枚葉物支持部材１の当接面１Ａに沿って同じく幅方向に湾曲するようになり、枚葉物Ｐ全体としてより屈撓しにくくすることができ、枚葉物Ｐの上部が不意に前方に倒れ込んだりするようなことはない。従って、利用者に枚葉物Ｐの前面を視認させ易くすることができる。
【００３５】
枚葉物支持部材１の樹脂シート１０には、図４に示すように、弾性部材１１を取り付けるために幅方向に沿って一直線状に設けられる複数の取り付け孔１０ｂを、樹脂シート１０の高さ方向に沿って複数段設けておくことも好ましい。これにより、弾性部材１１の取り付け位置を、樹脂シート１０の高さ方向に沿って変更可能とされる。従って、押圧支持すべき枚葉物Ｐの種類、部数、大きさ等に応じて、弾性部材１１を樹脂シート１０の高さ方向の最適な位置に調整することができ、１つの枚葉物支持部材１で多様な押圧力を付与することができる。
【００３６】
また、図示しないが、複数段の取り付け孔１０ｂの２段以上にそれぞれ弾性部材１１を取り付けるようにしてもよい。この場合は枚葉物Ｐに応じて押圧力を調整することが可能である。
【００３７】
更に、枚葉物支持部材１の樹脂シート１０は、図５に示すように、その高さ方向を、押圧支持すべき枚葉物Ｐの高さ方向の長さよりも長く形成することにより、該枚葉物Ｐよりも上方に突出する突出部１０ｄを形成することも好ましい。これにより、枚葉物支持部材１を枚葉物Ｐと共に収納ラック２内に収納すると、枚葉物Ｐの上方に枚葉物支持部材１の突出部１０ｄが突出するため、この突出部１０ｄを文字や画像等の情報表示部として機能させることができ、利用者に対する宣伝効果を高めることができる。
【００３８】
また、枚葉物支持部材１の樹脂シート１０には、図６（ａ）に示すように、上端に一部切り欠かれた凹部１０ｅが形成されていることも好ましい。この凹部１０ｅによって、図６（ｂ）に示すように、押圧支持される枚葉物Ｐの上部を、この凹部１０ｅの部位で容易に摘んで取り出すことができるようになる。
【００３９】
図７は、本発明に係る枚葉物収納ラック用の枚葉物支持部材の第２の態様を示す斜視図である。
【００４０】
この枚葉物支持部材３は、第１の態様のような弾性部材１１を有しておらず、１枚の樹脂シート３０だけからなる。
【００４１】
樹脂シート３０は、一方の面が枚葉物の背面に当接する当接面３Ａとされ、該樹脂シート３０の幅方向両端３０ａ、３０ａが互いに近接して当接面３Ａ側に凸状に撓むように賦形されている。従って、樹脂シート３０の幅方向両端３０ａ、３０ａが互いに離れるように拡開させると、弾性的に元の形状に復元しようとする弾性復元力が働いて当接面３Ａ側が凸状となるように押圧力を作用させるため、枚葉物の背面側を押圧することができる。
【００４２】
この樹脂シート３０も、塩化ビニル、ポリプロピレン、ポリエチレンテレフタレート等の可撓性を有する樹脂シートを用いて形成することができる。
【００４３】
また、樹脂シート３０を賦形するには、賦形後の樹脂シート３０の幅方向両端３０ａ、３０ａが互いに離れるように外力を付与して拡開させた後、その外力を解除した際に弾性的に元の形状に復元可能となるように形成されれば特に限定されないが、例えば、溶融状態にある樹脂を、当接面３Ａとなる側が凸状となるような形状に型成形することが挙げられる。
【００４４】
更に、この樹脂シート３０が有するばね定数は、枚葉物支持部材１の弾性部材１１の場合と同様に、０．０４〜０．０９Ｎとすることが好ましく、より好ましくは０．０６〜０．０７Ｎとすることである。
【００４５】
かかる枚葉物支持部材３は、第１の態様に係る枚葉物支持部材１と同様にして使用することができるが、弾性部材１１を使用しない分、取り付け孔を加工する手間も省かれて低コスト化を図ることができると共に、枚葉物支持部材１に比べて枚葉物Ｐの収納スペースの減少量をより小さくすることができる。
【図面の簡単な説明】
【００４６】
【図１】本発明に係る枚葉物収納ラック用の枚葉物支持部材の第１の態様を示す斜視図
【図２】（ａ）は樹脂シートの正面図、（ｂ）は弾性部材の斜視図
【図３】（ａ）は枚葉物を収納する収納ラックに本発明に係る枚葉物支持部材を用いた状態を示す縦断面図、（ｂ）はその横断面図
【図４】枚葉物支持部材の樹脂シートの他の態様を示す正面図
【図５】枚葉物支持部材の更に他の態様の使用状態を示す斜視図
【図６】（ａ）は枚葉物支持部材の樹脂シートの更に他の態様を示す正面図、（ｂ）はその使用状態を示す斜視図
【図７】本発明に係る枚葉物収納ラック用の枚葉物支持部材の第２の態様を示す斜視図
【図８】従来のホルダーの問題点を説明する平面図
【図９】従来の収納ラックの問題点を説明する断面図
【符号の説明】
【００４７】
１、３：枚葉物支持部材
１Ａ、３Ａ：当接面
１Ｂ、３Ｂ：反対面
１０、３０：樹脂シート
１０ａ、３０ａ：両端
１０ｂ：取り付け孔
１０ｄ：突出部
１０ｅ：凹部
１１：弾性部材
１１ａ：端部
２：枚葉物収納ラック
２１：前面板
２２：背面板
Ｐ：枚葉物
【図１】
2008137298.tif 000003
【図２】
2008137298.tif 000004
【図３】
2008137298.tif 000005
【図４】
2008137298.tif 000006
【図５】
2008137298.tif 000007
【図６】
2008137298.tif 000008
【図７】
2008137298.tif 000009
【図８】
2008137298.tif 000010
【図９】
2008137298.tif 000011